(57)【要約】【課題】ステージやスロープなどといった遊技球の転動面を構成する遊技部品の取付精度の向上を図る。【解決手段】転動面を有する遊技部品に関して、ネジ止めの際のネジの締め上げ方向が遊技部品の転動面中の放出位置が持ち上がることがない様に選ばれた左ネジを用いる（Ａ）。転動面は上下方向が肝心であるから、遊技部品の垂直方向の面をネジ止め面とし、ベース部材に対するネジ止め作業におけるネジの締め上げ方向が、転動面中の放出位置を下方に回転させようとする方向と一致する様に、転動面の放出位置とネジ止め位置との関係で選ばれた右ネジ又は左ネジを用いてベース部材側当接面に対してネジ止め固定する（Ｂ）。正面視右下りの第１の傾斜路形成部材と、正面視左下がりの第２の傾斜路形成部材を、一方は右ネジを用いて、他方は左ネジを用いてネジ止め固定する（Ｃ）。【選択図】  図１
2014008218.tif 000002
【特許請求の範囲】
【請求項１】
遊技盤に設定された遊技領域内に、遊技球を所定方向に転動させる様に平面又は曲面で構成された転動面を有し、該転動面の高低差を利用して遊技球を所定方向に転動させると共に転動面中に設定された放出位置から遊技球を転がり出させる様に構成された遊技部品を取り付けた遊技機であって、以下の構成を備えていることを特徴とする遊技機。
（Ａ１）前記遊技部品は、そのネジ止め面を、前記遊技盤に取り付けられるベース部材に当接させてネジ止め固定された状態で、該ベース部材を介して前記遊技盤の遊技領域内に取り付けられていること。
（Ａ２）前記ベース部材に対するネジ止め作業におけるネジの締め上げ方向が、前記遊技部品の転動面における前記放出位置を持ち上げようとする方向と一致しない様に、前記遊技部品が、前記転動面の放出位置とネジ止め位置との関係で選ばれた右ネジ又は左ネジを用いて前記ベース部材に対してネジ止め固定されていること。
【請求項２】
さらに、以下の構成をも備えていることを特徴とする請求項１記載の遊技機。
（Ａ３）前記ベース部材は、前記遊技部品のネジ止め面を当接させるベース部材側当接面を有し、該ベース部材側当接面には、前記転動面中の前記放出位置を位置決めする位置決め基準部材が備えられていること。
【請求項３】
さらに、以下の構成をも備えていることを特徴とする請求項２記載の遊技機。
（Ａ４）前記遊技部品は、前記ネジ止め面と交差する方向に形成された位置決め面を備え、前記ベース部材側当接面には、前記位置決め基準部材として、前記遊技部品の位置決め面を当接させることによって位置決めを行う位置決め基準面が形成されていること。
【請求項４】
さらに、以下の構成をも備えていることを特徴とする請求項１〜３のいずれか記載の遊技機。
（Ａ５）前記遊技部品は、当該部品の垂直方向の面を前記ネジ止め面とし、前記ベース部材に対するネジ止め作業におけるネジの締め上げ方向が、前記転動面中の前記放出位置を下方に回転させようとする方向と一致する様に、前記転動面の放出位置とネジ止め位置との関係で選ばれた右ネジ又は左ネジを用いて前記ベース部材側当接面に対してネジ止め固定されていること。
【請求項５】
さらに、以下の構成をも備えていることを特徴とする請求項１〜４のいずれか記載の遊技機。
（Ｂ１）前記遊技部品は、前記転動面として全体として正面視右下りとなる傾斜面を備えた第１の傾斜路形成部材と、前記転動面として全体として正面視左下がりとなる傾斜面を備えた第２の傾斜路形成部材とからなるの複数の別体の部品から構成され、これら第１，第２の傾斜路形成部材を、それぞれの転動面が所定の傾斜角度となる様に前記ベース部材に対してネジ止め固定された状態で、前記遊技盤の遊技領域内に取り付けられていること。
（Ｂ２）前記ベース部材に対するネジ止めにあたって、前記第１，第２の傾斜路形成部材は、前記ベース部材のネジ止め面に対し、前記転動面の下り傾斜側の端部を下方に向かって回転させようとする方向を締め上げ方向とする様に、一方は右ネジを用いてネジ止め固定され、他方は左ネジを用いてネジ止め固定されていること。
【請求項６】
さらに、以下の構成をも備えていることを特徴とする請求項１〜５のいずれか記載の遊技機。
（Ｃ１）前記遊技領域には、役物装置が取り付けられ、前記遊技部品は、前記役物装置内において遊技球を所定方向へ転動させる様に取り付けられていること。
【請求項７】
さらに、以下の構成をも備えていることを特徴とする請求項６記載の遊技機。
（Ｄ１）前記役物装置は、内部に進入した遊技球が、前記遊技部品の転動面へと誘導され易い状態と誘導され難い状態とを切り替える振り分け部材を備えていること。
【請求項８】
さらに、以下の構成をも備えていることを特徴とする請求項７記載の遊技機。
（Ｅ１）前記役物装置は、内部に進入した遊技球を前後方向へ向かって転動させて前記遊技部品へと受け渡す誘導路を備え、前記振り分け部材は、遊技球が前記誘導路へと誘導され易い状態と誘導され難い状態とに切り替える部材として構成されていること。
【請求項９】
遊技盤に設定された遊技領域内に、遊技球を所定方向に転動させる様に平面又は曲面で構成された転動面を有する遊技部品を取り付けた遊技機であって、以下の構成を備えていることを特徴とする遊技機。
（Ｆ１）前記遊技領域には、遊技球の進入口を開閉する開閉部材と、前記進入口に連通して所要の奥行きを有する入賞空間と、該入賞空間内に設けられ、遊技球が入賞したときに大当たりとする特別な入賞口とを有する役物装置が取り付けられていること。
（Ｆ２）前記遊技部品は、全体として正面視右下りとなる傾斜面を前記転動面とする第１の傾斜路形成部材と、全体として正面視左下がりとなる傾斜面を前記転動面とする第２の傾斜路形成部材とからなるの複数の別体部品から構成され、これら第１，第２の傾斜路形成部材を、左右から中央に向かって遊技球を転動させる様に、第１の傾斜路形成部材が左側に位置し、第２の傾斜路形成部材が右側に位置し、それぞれの傾斜面が所定の傾斜角度となる様に、前記役物装置の後方壁に対してネジ止め固定されていること。
（Ｆ３）前記役物装置の後方壁には、前方へ向かって形成され、前記第１，第２の傾斜路形成部材の傾斜面が所定の傾斜角度となる様に、それぞれの底面を当接させる位置決め基準面が備えられていること。
（Ｆ４）前記ネジ止め固定にあたって、前記第１，第２の傾斜路形成部材は、前記役物装置の後方壁の背面側から、それぞれの左右方向中心よりも外側の位置をネジ止め中心として、前記第１の傾斜路形成部材は左ネジを、前記第２の傾斜路形成部材は右ネジを用いてネジ止め固定されていること。
【請求項１０】
遊技盤に設定された遊技領域内に、遊技球を所定方向に転動させる様に平面又は曲面で構成された転動面を有し、該転動面の高低差を利用して遊技球を所定方向に転動させると共に転動面中に設定された放出位置から遊技球を転がり出させる様に構成された遊技部品を取り付けた遊技機であって、以下の構成を備えていることを特徴とする遊技機。
（Ｇ１）前記遊技部品は、その前面又は背面を、前記遊技盤に当接させてネジ止め固定されていること。
（Ｇ２）前遊技盤に対するネジ止め作業におけるネジの締め上げ方向が、前記遊技部品の転動面における前記放出位置を持ち上げようとする方向と一致しない様に、前記遊技部品が、前記転動面の放出位置とネジ止め位置との関係で選ばれた右ネジ又は左ネジを用いて前記ベース部材に対してネジ止め固定されていること。
【発明の詳細な説明】
【技術分野】
【０００１】
本発明は、遊技機に係り、特に、役物装置の内部にスロープやステージなどの上面を遊技球の転動面とした傾斜通路を備えた遊技機に関する。
【背景技術】
【０００２】
特許文献１は、図１３に示す様に、組立工程においてセンター役物内のステージに歪みが生じることを回避するため、「（１）ステージユニットを備えた背面装飾体と遊技盤との間に取付ユニットを介在させ、（２）背面装飾体自体も、開口部を有する筐体形状に形成された取付基板の背面側にステージユニットをネジで螺着して取り付けた構成とし、（３）取付基板の鍔状フランジ部のボス孔に取付ユニットの取付ボスを差し込んで位置決めし、取付基板の背面側からボス孔にネジを挿入して取付ユニットと螺着する構成」を提案している。
【先行技術文献】
【特許文献】
【０００３】
【特許文献１】特許第４６８４３２５号（図２０，図２２，図２３）
【発明の概要】
【発明が解決しようとする課題】
【０００４】
特許文献１の提案によれば、背面装飾体を遊技盤に取り付ける際にステージユニットに対して歪みが加わることはないが、そもそもステージユニットを取付基板の背面側からネジで螺着する際に歪みが生じてしまう可能性がある。
【０００５】
そこで、本願は、ステージやスロープなどといった遊技球の転動面を構成する遊技部品の取付精度の向上を図ることを目的としてなされた。
【課題を解決するための手段】
【０００６】
上記目的を達成するためになされた本発明の遊技機は、遊技盤に設定された遊技領域内に、遊技球を所定方向に転動させる様に平面又は曲面で構成された転動面を有し、該転動面の高低差を利用して遊技球を所定方向に転動させると共に転動面中に設定された放出位置から遊技球を転がり出させる様に構成された遊技部品を取り付けた遊技機であって、以下の構成を備えていることを特徴とする。
（Ａ１）前記遊技部品は、そのネジ止め面を、前記遊技盤に取り付けられるベース部材に当接させてネジ止め固定された状態で、該ベース部材を介して前記遊技盤の遊技領域内に取り付けられていること。
（Ａ２）前記ベース部材に対するネジ止め作業におけるネジの締め上げ方向が、前記遊技部品の転動面における前記放出位置を持ち上げようとする方向と一致しない様に、前記遊技部品が、前記転動面の放出位置とネジ止め位置との関係で選ばれた右ネジ又は左ネジを用いて前記ベース部材に対してネジ止め固定されていること。
【０００７】
通常、遊技機は、各部品を右ネジでネジ止めすることによって組み付ける様にしている。これに対し、図１（Ａ）に例示する様に、本発明の遊技機では、転動面を有する遊技部品に関して、ネジ止めの際のネジの締め上げ方向が遊技部品の転動面中の放出位置が持ち上がることがない様に選ばれたネジ（図示の例では左ネジ）を用いる。
【０００８】
なお、本発明の遊技機は、さらに、以下の構成をも備えることが望ましい。
（Ａ３）前記ベース部材は、前記遊技部品のネジ止め面を当接させるベース部材側当接面を有し、該ベース部材側当接面には、前記転動面中の前記放出位置を位置決めする位置決め基準部材が備えられていること。
【０００９】
この場合、以下の構成とすることが望ましい。
（Ａ４）前記遊技部品は、前記ネジ止め面と交差する方向に形成された位置決め面を備え、前記ベース部材側当接面には、前記位置決め基準部材として、前記遊技部品の位置決め面を当接させることによって位置決めを行う位置決め基準面が形成されていること。
【００１０】
転動面は上下方向が肝心であるから、図１（Ｂ）に例示する様に、以下の構成とすることが望ましい。
（Ａ５）前記遊技部品は、当該部品の垂直方向の面を前記ネジ止め面とし、前記ベース部材に対するネジ止め作業におけるネジの締め上げ方向が、前記転動面中の前記放出位置を下方に回転させようとする方向と一致する様に、前記転動面の放出位置とネジ止め位置との関係で選ばれた右ネジ又は左ネジを用いて前記ベース部材側当接面に対してネジ止め固定されていること。
【００１１】
かかる構成をも備えることにより、図１（Ｂ）の例では、左ネジを用いて、遊技部品をネジ止めすることにより、遊技部品が、その転動面の放出位置を下方に回転させる方向への供回り気味にネジ止め固定されることとなり、その放出位置側の位置決め面をベース部材側の位置決め基準面にしっかりと当接させる様にネジ止め固定され、放出位置の高さ方向取付精度が正確に現れる。位置決め基準部材としては、位置決め突起と位置決め孔を採用しても構わない。位置決め突起と位置決め孔を嵌合させる場合においても、通常、遊びがあるから、左ネジ、右ネジの使い分けにより、遊びによるズレを無くす方向に回転させようとする力を加えつつネジで締め上げることにより、正確な組み付けを可能にするからである。
【００１２】
なお、本発明の遊技機は、図１（Ｃ）に例示する様に、さらに、以下の構成をも備えたものとすることができる。
（Ｂ１）前記遊技部品は、前記転動面として全体として正面視右下りとなる傾斜面を備えた第１の傾斜路形成部材と、前記転動面として全体として正面視左下がりとなる傾斜面を備えた第２の傾斜路形成部材とからなるの複数の別体の部品から構成され、これら第１，第２の傾斜路形成部材を、それぞれの転動面が所定の傾斜角度となる様に前記ベース部材に対してネジ止め固定された状態で、前記遊技盤の遊技領域内に取り付けられていること。
（Ｂ２）前記ベース部材に対するネジ止めにあたって、前記第１，第２の傾斜路形成部材は、前記ベース部材のネジ止め面に対し、前記転動面の下り傾斜側の端部を下方に向かって回転させようとする方向を締め上げ方向とする様に、一方は右ネジを用いてネジ止め固定され、他方は左ネジを用いてネジ止め固定されていること。
【００１３】
なお、図１（Ｂ）に例示した位置決め基準部材を備えることにより、位置決めが容易となり、取付精度をより高めることができる。
【００１４】
これら本発明の遊技機は、さらに、以下の構成をも備えることができる。
（Ｃ１）前記遊技領域には、役物装置が取り付けられ、前記遊技部品は、前記役物装置内において遊技球を所定方向へ転動させる様に取り付けられていること。
【００１５】
いわゆる羽根物と呼ばれるタイプの遊技機ならば、役物装置内にＶゾーンが設定され、このＶゾーンへの入賞可能性を高める部品として、遊技部品が機能する。また、純粋な羽根物タイプ以外にあっても、役物装置内のステージの中央奥などに始動入賞口を備えるものがあり、この始動入賞口への入賞可能性を高める部品として、遊技部品が機能する。本発明によれば、この様な種々のタイプの遊技機の役物装置内での遊技球の転動動作に影響を与える遊技部品の取付精度が不十分なために興趣を殺ぐということがない。
【００１６】
これら本発明の遊技機は、さらに、以下の構成をも備えることができる。
（Ｄ１）前記役物装置は、内部に進入した遊技球が、前記遊技部品の転動面へと誘導され易い状態と誘導され難い状態とを切り替える振り分け部材を備えていること。
【００１７】
役物装置内に振り分け部材を備えることにより、役物装置内における遊技球の転動状態に対する興趣をより高めることができる。そして、振り分け部材が遊技者に有利な状態に遊技球を振り分けたときの遊技球の転動状態が安定し、遊技部品の取付精度が不十分で興趣を殺ぐということがない。
【００１８】
これら本発明の遊技機は、さらに、以下の構成をも備えることができる。
（Ｅ１）前記役物装置は、内部に進入した遊技球を前後方向へ向かって転動させて前記遊技部品へと受け渡す誘導路を備え、前記振り分け部材は、遊技球が前記誘導路へと誘導され易い状態と誘導され難い状態とに切り替える部材として構成されていること。
【００１９】
かかる構成を採用することにより、奥行きのある遊技を楽しませることができ、その場合に、振り分けの期待感を遊技者に抱かせ、振り分けがなされた後の遊技球の転動動作に対する期待感が、遊技部品の取付精度が不十分なために殺がれるということがない。
【００２０】
上記目的を達成するためになされた羽根物タイプとしての本発明の遊技機は、遊技盤に設定された遊技領域内に、遊技球を所定方向に転動させる様に平面又は曲面で構成された転動面を有する遊技部品を取り付けた遊技機であって、以下の構成を備えていることを特徴とする。
（Ｆ１）前記遊技領域には、遊技球の進入口を開閉する開閉部材と、前記進入口に連通して所要の奥行きを有する入賞空間と、該入賞空間内に設けられ、遊技球が入賞したときに大当たりとする特別な入賞口とを有する役物装置が取り付けられていること。
（Ｆ２）前記遊技部品は、全体として正面視右下りとなる傾斜面を前記転動面とする第１の傾斜路形成部材と、全体として正面視左下がりとなる傾斜面を前記転動面とする第２の傾斜路形成部材とからなるの複数の別体部品から構成され、これら第１，第２の傾斜路形成部材を、左右から中央に向かって遊技球を転動させる様に、第１の傾斜路形成部材が左側に位置し、第２の傾斜路形成部材が右側に位置し、それぞれの傾斜面が所定の傾斜角度となる様に、前記役物装置の後方壁に対してネジ止め固定されていること。
（Ｆ３）前記役物装置の後方壁には、前方へ向かって形成され、前記第１，第２の傾斜路形成部材の傾斜面が所定の傾斜角度となる様に、それぞれの底面を当接させる位置決め基準面が備えられていること。
（Ｆ４）前記ネジ止め固定にあたって、前記第１，第２の傾斜路形成部材は、前記役物装置の後方壁の背面側から、それぞれの左右方向中心よりも外側の位置をネジ止め中心として、前記第１の傾斜路形成部材は左ネジを、前記第２の傾斜路形成部材は右ネジを用いてネジ止め固定されていること。
【００２１】
羽根物タイプの遊技機においては、役物装置はあまり大きなものにできないが、（Ｆ４）の構成を採用することにより、第１，第２の傾斜路形成部材のそれぞれに対して、中央よりの端を当接基準面に向かって回転させようとするモーメントをより大きくすることで、最も重要な中央端を当接基準面にしっかりと当接させた状態にしっかりとネジ止め固定することができる。
【００２２】
なお、この羽根物タイプの遊技機においては、さらに、以下の構成をも備えるとよい。
（Ｆ５）前記役物装置は、内部に進入した遊技球が、前記遊技部品の転動面へと誘導され易い状態と誘導され難い状態とを切り替える振り分け部材を備えていること。
（Ｆ６）前記役物装置は、内部に進入した遊技球を前後方向へ向かって転動させて前記遊技部品へと受け渡す誘導路を備え、前記振り分け部材は、遊技球が前記誘導路へと誘導され易い状態と誘導され難い状態とに切り替える部材として構成されていること。
転動面において遊技球をより下の方向に向かって転動させる側の端部を当該当接基準面に向かって回転させようとする方向を締め上げ方向とする様に選ばれた右ネジ又は左ネジを用いてネジ止め固定されているから、遊技部品は、少なくとも、遊技球を誘導しようとする位置に近い側の端部がベース部材の当接基準面にしっかりと密着した状態に取り付けられる。
【００２３】
なお、上記目的を達成するための遊技機は、以下の様に構成することもできる。
即ち、遊技盤に設定された遊技領域内に、遊技球を所定方向に転動させる様に平面又は曲面で構成された転動面を有し、該転動面の高低差を利用して遊技球を所定方向に転動させると共に転動面中に設定された放出位置から遊技球を転がり出させる様に構成された遊技部品を取り付けた遊技機であって、以下の構成を備えていることを特徴とする。
（Ｇ１）前記遊技部品は、その前面又は背面を、前記遊技盤に当接させてネジ止め固定されていること。
（Ｇ２）前遊技盤に対するネジ止め作業におけるネジの締め上げ方向が、前記遊技部品の転動面における前記放出位置を持ち上げようとする方向と一致しない様に、前記遊技部品が、前記転動面の放出位置とネジ止め位置との関係で選ばれた右ネジ又は左ネジを用いて前記ベース部材に対してネジ止め固定されていること。
【発明の効果】
【００２４】
本発明によれば、ステージやスロープなどといった遊技球の転動面を構成する遊技部品の取付精度を向上することができる。
【図面の簡単な説明】
【００２５】
【図１】本発明の構成を概念的に例示する発明概念図である。
【図２】実施例１のパチンコ機を示し、（Ａ）は遊技盤を取り外した状態の斜視図、（Ｂ）は正面図、（Ｃ）は分解斜視図である。
【図３】実施例１を示し、（Ａ）は遊技盤の正面図、（Ｂ）は裏ユニットの正面図である。
【図４】実施例１のパチンコ機における通常時のセンター役物を示し、（Ａ）は正面図、（Ｂ）はＢ−Ｂ断面図、（Ｃ）はＣ−Ｃ断面図である。
【図５】実施例１のパチンコ機における通常時のセンター役物を示し、（Ａ）は正面図、（Ｂ）はＥ−Ｅ断面図、（Ｃ）はＤ−Ｄ断面図、（Ｄ）はＡ−Ａ断面図である。
【図６】実施例１のパチンコ機における貯留機能作動時のセンター役物を示し、（Ａ）は正面図、（Ｂ）はＡ−Ａ断面図、（Ｃ）はＣ−Ｃ断面図である。
【図７】実施例１のパチンコ機における貯留機能作動時のセンター役物を示し、（Ａ）は正面図、（Ｂ）はＥ−Ｅ断面図、（Ｃ）はＤ−Ｄ断面図、（Ｄ）はＢ−Ｂ断面図である。
【図８】実施例１のパチンコ機のセンター役物の組み立て状態を示す斜視図である。
【図９】実施例１のパチンコ機のセンター役物内に組み付けられる左奥傾斜路形成部材を示し、（Ａ）は正面側から見た斜視図、（Ｂ）は背面側から見た斜視図、（Ｃ）は六面図である。
【図１０】実施例１のパチンコ機のセンター役物内に組み付けられる右奥傾斜路形成部材を示し、（Ａ）は正面側から見た斜視図、（Ｂ）は背面側から見た斜視図、（Ｃ）は六面図である。
【図１１】実施例１のパチンコ機のセンター役物内に左奥傾斜路形成部材及び右奥傾斜路形成部材を組み付ける様子を示し、（Ａ）は組み付け前の正面図、（Ｂ）は組み付け後の正面図、（Ｃ）は背面図である。
【図１２】実施例２における主要な構成部材を示し、（Ａ）は正面側から見た斜視図及びステージの分解斜視図、（Ｂ）は背面側から見た斜視図及びステージの分解斜視図と要部拡大背面図である。
【図１３】従来技術の説明図である。
【発明を実施するための形態】
【００２６】
以下、本発明の実施形態として、具体的な実施例を図面に基づき詳細に説明する。
【実施例１】
【００２７】
［１  遊技機全体の概要］
実施例１のパチンコ機を、図面に基づき詳細に説明する。なお実施例において「左」又は「右」とは、パチンコ機の表側（前面側）から見たときの「左」又は「右」を示すものとする。まず本実施形態のパチンコ機の基本的構成を簡単に説明する。
【００２８】
実施例１のパチンコ遊技機Ｐは、図２に示す様に、外枠Ａ、中枠Ｂ、遊技盤１、前枠Ｄ、上の球受け皿Ｅ、下の球受け皿Ｆ及び打球発射装置Ｇを備えている。外枠Ａはパチンコ機Ｐの外郭を構成する縦長方形の枠である。中枠Ｂは、各種の遊技用構成部材をセットするための縦長方形の枠であって、外枠Ａの前面側に開閉可能かつ着脱可能に組み付けられる。遊技盤１は、中枠（遊技盤取付枠）Ｂの開口部に取り付けられる。前枠Ｄは遊技盤１の透視保護窓であって、施錠装置Ｈの操作によって開閉可能な様に中枠Ｂの前面側に組み付けられる。上の球受け皿Ｅは、貸し球や賞球の受け皿で、本実施例においては前枠Ｄの下部と一体に構成されてる。従って、前枠Ｄを中枠Ｂに対して開閉するときに上の球受け皿Ｅも共に開閉される。下の球受け皿Ｆは、上の球受け皿Ｅが一杯になったときに排出される遊技球や打ち損じの遊技球等を受ける受け皿であって、中枠Ｂの下部に固定されている。打球発射装置Ｇは、上の球受け皿Ｅから発射レールに送り込まれた遊技球をハンドル操作に対応する強さで打ち出すための装置であって、中枠Ｂの右下部に装備される。
【００２９】
中枠Ｂは、上縁をなす上枠部材Ｂ１と、下縁をなし打球発射装置Ｇ等が設置された下枠部材Ｂ２と、左側縁をなす左枠部材Ｂ３と、右側縁をなす右枠部材Ｂ４とから構成されて、これら上下左右の枠部材Ｂ１〜Ｂ４を組み付けた際に、全体が外枠Ａの開口に整合する矩形枠状に形成される。そして、上下左右の枠部材Ｂ１〜Ｂ４を組み付けた際に開口する開口部分が、遊技盤１を設置する遊技盤保持部Ｂ５として機能する。ここで、中枠Ｂは、外枠Ａの左上端部及び左下端部に設けられた支軸を介して枢支され、左側端部を中心として中枠Ｂを回転させることで外枠Ａに対して中枠Ｂを開閉し得るようになっている。
【００３０】
［２  遊技盤の概要］
本実施例において、遊技盤１はベニヤで構成され、図３に示す様に、羽根物タイプのセンター役物１０を取り囲む様に形成された遊技領域２の下部に取り付けられた始動入賞口３１〜３３と、左右の装飾体４０，５０と、下部装飾体６０と、障害釘や風車などを備えている。この左右の装飾体４０，５０には普通入賞口３４，３５が備えられ、下部装飾体６０の左右にに位置する普通入賞口３６，３７も備えられている。また、センター役物１０自体も入賞口として機能する。遊技盤１の裏面には、これら入賞口３１〜３７及びセンター役物１０と連絡して球排出通路１１３を形成する裏ユニット１００が取り付けられている。
【００３１】
裏ユニット１００は、遊技盤１の内側に収まる縁枠１１１が前方に突設形成された裏ユニット本体１１０の前面側に、左右の装飾体４０，５０及び下部装飾体６０の背後に位置するＬＥＤ基板１２０，１３０，１４０を装着したものとなっている。また、裏ユニット本体１１０には、センター役物１０の背後にあたる部分に後方へ窪んだ収納凹所１１２が形成されると共に、球排出通路１１３が設けられている。ＬＥＤ基板１２０等は、裏ユニット本体１１０の収納凹所１１２と縁枠１１１との間で球排出通路１１３を避ける位置に取り付けられる。なお、図示の状態は、ＬＥＤ基板１２０等の前面側に透明な合成樹脂で成形された前面カバーが装着され、基板前面に配置されたＬＥＤが保護された状態を示している。
【００３２】
［３  センター役物の概要］
センター役物１０は、図４〜図７に示す様に、一般入賞領域１１ａと特別入賞領域１１ｖとを備えた入賞空間１１と、この入賞空間１１への遊技球の進入口をソレノイド駆動による回動動作によって開閉する開閉部材１２ａ，２ｂと、入賞空間１１の最下部に備えられ、特別入賞領域１１ｖへの受入通路を形成すると共にモータ駆動によって所定の揺動範囲内で左右方向に揺動される樋部材１３と、樋部材１３の上面よりやや上方に設置された底面形成部材１４と、この底面形成部材１４の中央に前後方向に伸びる様に設置され、モータ駆動により、傾きを変える傾動動作を実行する傾斜板１５とを備えている。
【００３３】
底面形成部材１４の後端部には上方に上がった段差部１４ａが形成されている。この段差部１４ａは中央から左右に下がる屋根状に緩く傾斜し、中央前面には遊技球１個を受け入れることが可能な窪み１４ｂが形成されている。また、傾斜板１５の後端付近には、その先端を持ち上げる方向に傾動したときに突出するストッパ１５ａが備えられている。
【００３４】
入賞空間１１の中央には人形１６が備えられ、人形１６の前方で幅方向に伸びる中間床形成部材１７も備えられている。中間床形成部材１７の左右の端には、後方に向かって遊技球を転動させる様に後下がりに傾斜した転動面を備える前後方向誘導路形成部材１８ａ，１８ｂが備えられ、この前後方向誘導路形成部材１８ａ，１８ｂの後端から転がり出した遊技球を受け止めて中央に向かって転動させる様に、右下がり傾斜の転動面を備えた左奥傾斜路形成部材２１が入賞空間１１の下部左側最奥部に、左下がり傾斜の転動面を備えた右奥傾斜路形成部材２２が入賞空間１１の下部右側最奥部に、それぞれ設置されている。また、人形１６の背面には、ソレノイド駆動によって回動動作する２枚の振り分け部材１９ａ，１９ｂも設置されている。
【００３５】
左奥傾斜路形成部材２１及び右奥傾斜路形成部材２２は、底面形成部材１４の段差部１４ａに底面を当接させると共に、入賞空間本体を形成する入賞空間ベース部材２３の後壁２３ａに背面を当接させる様にして設置されている。
【００３６】
センター役物１０は、遊技領域２に備えられた始動入賞口３１〜３３に遊技球が入賞した場合に開閉部材１２ａ，１２ｂを１回又は２回開放する始動口入賞時制御と、この始動口入賞時制御の実行に伴って入賞空間１１内に進入できた遊技球が特別入賞領域１１ｖに入賞した場合に特別遊技制御を開始する入賞装置として機能する。
【００３７】
特別遊技制御においては、始動口入賞時制御の際よりも長い開放時間にて、開閉部材１２ａ，１２ｂの開閉を繰り返し、繰り返し回数が１８回になるか、この間の入賞球個数が１０個となるまでを１ラウンドとする特別遊技が実行される。また、この特別遊技のラウンド数は、始動口入賞時に既に抽選されて決まっており、抽選の結果に対応して、最終ラウンドまでの継続性を高めるためのラウンド継続制御も実行される。
【００３８】
ラウンド継続制御では、傾斜板１５を、その後端を持ち上げる方向に回動させると共に、振り分け部材１９ａ，１９ｂを前方へ回動させ、中間床形成部材１７上の遊技球を、左右の端に向かって誘導し、前後方向誘導路形成部材１８ａ，１８ｂを経由して、左奥傾斜路形成部材２１及び右奥傾斜路形成部材２２へと誘導し易い状態を形成する。また、樋部材１３を傾斜板１５の正面にあたる中央において停止した状態とする。
【００３９】
この結果、ラウンド継続制御中は、入賞空間１１内に進入した遊技球は、中間床形成部材１７の上面に当たって後方に転動しつつ振り分け部材１９ａ，１９ｂに沿って左方又は右方に転動し、前後方向誘導路形成部材１８ａ，１８ｂへと導かれる。そして、前後方向誘導路形成部材１８ａ，１８ｂを経由して、左奥傾斜路形成部材２１又は右奥傾斜路形成部材２２へと誘導され、中央に向かって転動し、段差部１４ａ中央の窪み１４ｂに向かって放出され、傾斜板１５の後端側で突出したストッパ部材１５ａによって邪魔されて窪み１４ｂ内に貯留される。なお、貯留される遊技球は１個だけで、その他の遊技球は窪み１４ｂの左右から段差部１４ａへと転がり出し、底面形成部材１４上を前方へと転がって一般入賞領域１１ａから裏ユニット１００の球排出通路１１３へと排出されていく。
【００４０】
そして、特別遊技中の所定のタイミングになると、傾斜板１５の先端が下方に向かって傾動され、後端位置に貯留されていた遊技球はストッパ１５ａの没入動作に伴って傾斜板１５へと転がり出し、傾斜板１５の上を転がって正面に停止している樋部材１３の受入口から特別入賞領域１１ｖへと入賞し、裏ユニット１００の球排出通路１１３へと排出されていく。
【００４１】
こうしてラウンド継続制御では、貯留機能を作動させる傾斜板１５の後方への傾動動作、貯留し易い状態を形成する振り分け部材１９ａ，１９ｂの前方への回動動作、樋部材１３の中央停止動作をどの様なタイミングで開始、解除するかの組み合わせにより、特別遊技ラウンドが継続され易い状態を形成している。
【００４２】
なお、樋部材１３は、特別遊技状態以外の通常時（始動口入賞時制御を含む）においては、「（イ）中央→左端→中央」「（ロ）中央→右端→中央」の揺動動作を実行し、（イ）（ロ）の動作が切り替わる際に中央で一旦停止する動作を繰り返し実行している。また、この動作は、ギヤとカムの組み合わせにより、モータの正転→停止→逆転→停止→正転→…を切り替えることで実現されている。
【００４３】
［４  センター役物の組み立て］
センター役物１０の組み立てにおいては、図８に示す様に、まず、入賞空間本体を形成する入賞空間ベース部材２３の後壁２３ａに背面を当接させると共に、後壁２３ａに交差して前方へ伸びる様に一体成形されている段差部１４ａに底面を当接させる様にして、左奥傾斜路形成部材２１及び右奥傾斜路形成部材２２を取り付ける。
【００４４】
次に、中間床形成部材１７及び前後方向誘導路形成部材１８ａ，１８ｂが一体成形された入賞空間仕切部材２４が入賞空間ベース部材２３の前面側に取り付けられる。そして、前面側の飾り部材２５、背面側の役物制御基板装着部材２６及び底面側のモータ取り付け部材２７が組み付けられる。なお、樋部材１３、傾斜板１５、人形１６は、入賞空間仕切部材２４を取り付ける前に入賞空間ベース部材２３に対して組み付けられる。
【００４５】
［５  左奥傾斜路形成部材及び右奥傾斜路形成部材の取り付け」
左奥傾斜路形成部材２１は、図９に示す様に、右下がりの傾斜面２１ａと、この傾斜面２１ａの前面に一体に形成される前板２１ｂと、この前板２１ｂの前面に前方へ伸びる様に一体に形成される邪魔板２１ｃとを備えている。また、傾斜面２１ａの左右端には前板２１ｂと底面を面一とする脚部２１ｄ，２１ｅが一体に形成されている。
【００４６】
前板２１ｂは、傾斜面２１ａ，及び脚部２１ｄ，２１ｅの前面を塞ぐ様に一体形成され、傾斜面２１ａの右端から遊技球１個分弱の部分は上面が傾斜面２１ａと面一とされ、それより左側は遊技球が前方へと転がり出せない様にする高さの傾斜面前壁２１ｆを形成する様に構成されている。
【００４７】
また、傾斜面２１ａと右側の脚部２１ｄとが連続する部分は曲面加工されると共に、前方に向かって傾斜する誘導溝部２１ｇが形成されている。さらに、傾斜面２１ａの下面には、後方に向かって真っ直ぐに伸びる突起２１ｈを後端に備えた位置決め部材２１ｉと、ネジ孔２１ｊが後端から穿設されたネジ止め部材２１ｋが、前板２１ｂの裏面から真っ直ぐ後方に伸びる様に一体形成されている。
【００４８】
なお、本実施例では、左奥傾斜路形成部材２１の左右方向の全長に対し、右端から約１／３の位置に位置決め部材２１ｉが、右端から約２／３の位置にネジ止め部材２１ｋが位置している。
【００４９】
また、前板２１ｂ、脚部２１ｄ，２１ｅによって形成される底面２１ｍは、六面図中の左右の側面図から分かる様に、後方に向かって切り上げられた平面を構成している。これは、段差部１４ａが若干前下がりの傾斜面となっているのに対応させたものである。また、傾斜面２１ａ、脚部２１ｄ，２１ｅによって形成される背面２１ｎは、垂直面を構成している。これは、入賞空間ベース部材２３の後壁２３ａの前面が垂直面となっているのに対応させたものである。
【００５０】
右奥傾斜路形成部材２２は、図１０に示す様に、左下がりの傾斜面２２ａと、この傾斜面２２ａの前面に一体に形成される前板２２ｂと、この前板２２ｂの前面に前方へ伸びる様に一体に形成される邪魔板２２ｃとを備えている。また、傾斜面２２ａの左右端には前板２２ｂと底面を面一とする脚部２２ｄ，２２ｅが一体に形成されている。
【００５１】
前板２２ｂは、傾斜面２２ａ，及び脚部２２ｄ，２２ｅの前面を塞ぐ様に一体形成され、傾斜面２２ａの右端から遊技球１個分弱の部分は上面が傾斜面２２ａと面一とされ、それより右側は遊技球が前方へと転がり出せない様にする高さの傾斜面前壁２２ｆを形成する様に構成されている。
【００５２】
また、傾斜面２２ａと左側の脚部２２ｄとが連続する部分は曲面加工されると共に、前方に向かって傾斜する誘導溝部２２ｇが形成されている。さらに、傾斜面２２ａの下面には、後方に向かって真っ直ぐに伸びる突起２２ｈを後端に備えた位置決め部材２２ｉと、ネジ孔２２ｊが後端から穿設されたネジ止め部材２２ｋが、前板２２ｂの裏面から真っ直ぐ後方に伸びる様に一体形成されている。
【００５３】
なお、本実施例では、右奥傾斜路形成部材２２の左右方向の全長に対し、左端から約１／３の位置に位置決め部材２２ｉが、左端から約２／３の位置にネジ止め部材２２ｋが位置している。
【００５４】
また、前板２２ｂ、脚部２２ｄ，２２ｅによって形成される底面２２ｍは、六面図中の左右の側面図から分かる様に、後方に向かって切り上げられた平面を構成している。これは、段差部１４ａが若干前下がりの傾斜面となっているのに対応させたものである。また、傾斜面２２ａ、脚部２２ｄ，２２ｅによって形成される背面２２ｎは、垂直面を構成している。これは、入賞空間ベース部材２３の後壁２３ａの前面が垂直面となっているのに対応させたものである。
【００５５】
図１１に示す様に、入賞空間ベース部材２３の後壁２３ａには、左奥傾斜路形成部材２１を入賞空間の左側下方最奥部に組み付けるための位置決め孔２８ａ及びネジ挿通孔２８ｂが形成されると共に、右奥傾斜路形成部材２２を入賞空間の右側下方最奥部に組み付けるための位置決め孔２９ａ及びネジ挿通孔２９ｂが形成されている。
【００５６】
左奥傾斜路形成部材２１は、その位置決め部材２１ｉの突起２１ｈを入賞空間ベース部材２３側の位置決め孔２８ａに挿入すると共に、ネジ止め部材２１ｋのネジ孔２１ｊを入賞空間ベース部材２３側のネジ挿通孔２８ｂに一致させ、入賞空間ベース部材２３の背面側から左ネジで締め上げる様にして組み付けられる。
【００５７】
右奥傾斜路形成部材２２は、その位置決め部材２２ｉの突起２２ｈを入賞空間ベース部材２３側の位置決め孔２９ａに挿入すると共に、ネジ止め部材２２ｋのネジ孔２２ｊを入賞空間ベース部材２３側のネジ挿通孔２９ｂに一致させ、入賞空間ベース部材２３の背面側から右ネジで締め上げる様にして組み付けられる。
【００５８】
この様に、左奥傾斜路形成部材２１は左ネジで、右奥傾斜路形成部材２２は右ネジで締め上げることにより、左右奥の各傾斜路形成部材２１，２２は、その下がった方の端部を下方に回転させる力が加えられつつネジ止めされることになる。この結果、左右奥の各傾斜路形成部材２１，２２は、それぞれの誘導溝部２１ｇ，２２ｇが形成された側の端部がしっかりと段差部１４ａの上面に当接された状態で組み付けられる。
【００５９】
なお、位置決め孔２８ａ，２９ａと、位置決め部材２１ｉ，２２ｉの突起２１ｈ，２２ｈとによる位置決めは、遊びを有するものであるから、上述の様に左ネジ、右ネジによる締め上げ方向との関係で、特に、ネジ締め位置が位置決め突起２１ｈ，２２ｈの外側にあたることにより、左右奥の各傾斜路形成部材２１，２２を全体として中央側の端部を下方に回動させようとする力を受けて締め上げられる結果、誘導溝部２１ｇ，２２ｇが段差部１４ａの上面に対して正確な高さに位置する状態となり、遊技球を前方へ転がり出させる条件を設計通りに実現することができる。
【実施例２】
【００６０】
次に、実施例２を図１２に基づいて説明する。この実施例は、デジパチタイプの遊技機でセンター役物を構成する大型装飾部材２００の下部に遊技球を左右に転動させるステージ２１０を備えたものである。
【００６１】
ステージ２１０は、中央にトンネル通路２１１を備えたステージベース部材２１２と、このステージベース部材２１２の前面に、トンネル通路２１１の上面と右端上面を一致させる様に取り付けられる左側ステージ形成部材２２０と、トンネル通路２１１の上面と左端上面を一致させる様に取り付けられる右側ステージ形成部材２３０とから構成されている。
【００６２】
左側ステージ形成部材２２０は、大型装飾部材２００の左側に設けられているワープ通路２０１の出口２０２側に位置する右下がり転動面２２１、トンネル通路２１１側に位置する右上がり転動面２２２、及びこれらの連接部分に前方へ向かって傾斜した放出部２２３を備え、全体として下方に湾曲した転動面２２４と、転動面２２４の前面に一体成形され、放出部２２３の左右に前壁２２５ａ，２２５ｂを形成する前板２２５とを備えた成形体として構成されている。
【００６３】
また、左側ステージ形成部材２２０の転動面２２４の背面には、位置決め突起２２６ａ，２２６ｂが突設されている。なお、図１２では現されていないが、中央寄りの位置決め突起２２６ａの左側にネジ孔部材が前板２２５の裏面から突設形成されている。
【００６４】
右側ステージ形成部材２３０は、トンネル通路２１１側に位置する右下がり転動面２３２、左側ステージ形成部材２２０と左右対称位置となる位置に形成された前方へ向かって傾斜した放出部２３３、及び放出部２３３の右側に連続する右上がり転動面２３１を備え、全体として下方に湾曲した転動面２３４と、転動面２３４の前面に一体成形され、放出部２３３の左右に前壁２３５ａ，２３５ｂを形成する前板２３５とを備えた成形体として構成されている。
【００６５】
また、右側ステージ形成部材２３０の転動面２３４の背面には、位置決め突起２３６ａ，２３６ｂが突設されている。さらに、図１２において一部見えているだけであるが、中央寄りの位置決め突起２３６ａの右側にネジ孔部材２３７が前板２３５の裏面から突設形成されている。また、図１２には現れていないが、外よりの位置決め突起２３６ｂの内側位置にもネジ孔部材が前板２３５の裏面側に突設形成されている。さらに、右側ステージ形成部材２３０の右上がり転動面２３１の端には前板２３５とも一体となる側壁部２３８が形成されている。
【００６６】
ステージベース部材２１２の前壁２１２ａには、左側ステージ形成部材２２０をトンネル通路２１１の左側に組み付けるための位置決め孔２１３ａ，２１３ｂ及びネジ挿通孔２１３ｃが形成されると共に、右側ステージ形成部材２３０をトンネル通路２２１の右側に組み付けるための位置決め孔２１４ａ，２１４ｂ及びネジ挿通孔２１４ｃ，２１４ｄが形成されている。
【００６７】
左側ステージ形成部材２２０は、その位置決め突起２２６ａ，２２６ｂをステージベース部材２１０側の位置決め孔２１３ａ，２１３ｂに挿入すると共に、内側の位置決め孔２１３ａの近くのネジ挿通孔２１３ｃを介して背面側から１本の左ネジで締め上げる様にして組み付けられる。
【００６８】
この様に、左側ステージ形成部材２２０は左ネジにより、正面視右端側を下方に回動させようとする力を加えつつ締め上げることにより、右上がり転動面２２２の中央側の上面をステージベース部材２１０のトンネル通路２１１の上面とよく一致した状態に組み付けることができる。なお、左側ステージ部材２２０の放出部２２３は、この左ネジでの締め上げ位置に近いから、浮き上がることはない。この結果、放出部２２３も高さ方向に精度よく組み付けられる。
【００６９】
右側ステージ形成部材２３０は、その位置決め突起２３６ａ，２３６ｂをステージベース部材２１０側の位置決め孔２１４ａ，２１４ｂに挿入すると共に、内側の位置決め孔２１４ａの近傍内側のネジ挿通孔２１４ｃを介して背面側から右ネジで締め上げると共に、外側の位置決め孔２１４ｂの近傍内側のネジ挿通孔２１４ｄを介して背面側から２本の右ネジで締め上げる様にして組み付けられる。
【００７０】
この様に、右側ステージ形成部材２３０の中央寄りを右ネジにより、正面視右端側を下方に回動させようとする力を加えつつ締め上げることにより、右下がり転動面２３２の中央側の上面をステージベース部材２１０のトンネル通路２１１の上面とよく一致した状態に組み付けることができる。
【００７１】
ここで、右側ステージ形成部材２３０については、中央から遠い方の端側を左ネジとすることもできる。中央から遠い方の端側は、大きな返し２３９を備え、遊技球が中央へ向かって転動する動きに影響を与える部分である。従って、２本のネジで組み付ける右側ステージ形成部材２３０の中央から遠い方の端は右ネジではなく左ネジを用いることにより、返し２３９の取り付け精度を向上させるのも好ましいものとなる。
【００７２】
この場合、右側ステージ部材２３０の放出部２３３は、近くを右ネジで締め上げられているから、返し２３９の取り付け精度を向上させるために左ネジを用いたとしても、大きく浮き上がり難い。従って、実施例２の場合、右側ステージ形成部材２３０については、２本の右ネジを用いてもよいし、右ネジと左ネジを組み合わせて用いる様にしてもよいといえる。どちらの組み合わせとするかは、ネジの本数とネジ止め位置との関係、及び、返し２３９の取り付け精度と放出部２３３の取り付け精度のどちらを重視すべきかによって選択し得る。３本のネジを用いるならば、中央寄りから、右ネジ、右ネジ、左ネジという組み合わせにするのがよいであろう。
【００７３】
この実施例２では、実施例１とは異なり、ステージ形成部材２２０，２３０の底面を何らかの基準となる面に当接させるものではないが、左ネジ、右ネジの使い分けにより、元々遊びを有する位置決め孔２１３ａ，２１３ｂ，２１４ａ，２１４ｂと位置決め突起２２６ａ，２２６ｂ，２３６ａ，２３６ｂとの上下方向当接状態を設計通りとなる様にして転動面を構成する部品を精度よく組み付けるものとなっている。なお、この実施例２は、本発明との対応における遊技球の放出位置は、トンネル通路１１１の上面と高さを一致させる方の端となっている。
【００７４】
以上、発明を実施するための実施例を説明したが、本発明は、これらに限定されるものではなく、その要旨を逸脱しない範囲内における種々の変更が可能である。
【００７５】
例えば、羽根物タイプと呼ばれる遊技機、デジパチタイプと呼ばれる遊技機に限らず、権利物と呼ばれるタイプの遊技機はもちろん、抽選機能を有しない普通機と呼ばれるタイプの遊技機にも適用できることはもちろんである。
【００７６】
また、実施例１，２は、役物装置として、遊技領域の中央にセンター役物を備えた遊技機に基づいて説明したが、役物装置が遊技領域の中央ではなく、上下あるいは左右にずれた位置に存在する遊技機や、複数の役物装置を遊技領域に備える遊技機であっても、役物装置内において遊技球の転動面を有するスロープ等の遊技部品を備えるものであれば本発明を適用して組み付け精度を高めることができることはもちろんである。
【００７７】
また、役物装置は、開閉部材として、左右方向に開閉動作するものに限らず、前後方向あるいは上下方向に開閉するものを備えていても構わない。さらに、本発明のネジ止め方法を採用する対象も、左右方向に遊技球を転動させる転動面を有する遊技部品に限らず、前後方向に遊技部品を転動させる転動面を有する遊技部品であって構わない。取り付け精度の向上による遊技球の転動動作を安定させる作用・効果は同様に発揮されるからである。
【００７８】
さらに、実施例１の遊技機は、役物装置内における特別入賞領域への入賞で特別遊技（大当たり）を生起するタイプの遊技機であったが、役物装置内の特別入賞領域へ入賞することで図柄抽選を生起させるタイプの遊技機や、確率変動，時短と呼ばれる大当たり終了後の遊技特典の抽選契機を与える特別入賞領域を備えた役物装置など、入賞によって何らかの特典を与える特別入賞領域を備えた役物装置内の転動面を構成する遊技部品の取り付けにおいて、本発明を適用することで精度向上を図ることができるのはもちろんである。
【００７９】
加えて、遊技部品のネジ止め方向が下側からであって遊技部品の転動面における遊技球放出位置の奥行き方向の取り付け精度が重要な場合には、本発明を適用して、下からネジ止めする際のネジを、遊技部品の取り付け条件との関係から、右ネジではなく左ネジを用いる様にするときにも、本発明が適用できる。
【００８０】
また、遊技盤に転動面形成部材を直接取り付ける場合にも本発明を適用することができる。その場合、遊技盤の前面又は背面がベース部材側当接面となる。
【産業上の利用可能性】
【００８１】
本発明はパチンコ機に利用することができる。
【符号の説明】
【００８２】
Ｐ・・・パチンコ遊技機
Ａ・・・外枠
Ｂ・・・中枠
Ｄ・・・前枠
Ｅ・・・上の球受け皿
Ｆ・・・下の球受け皿
Ｇ・・・打球発射装置
Ｈ・・・施錠装置
Ｂ１・・・上枠部材
Ｂ２・・・下枠部材
Ｂ３・・・左枠部材
Ｂ４・・・右枠部材
Ｂ５・・・遊技盤保持部
１・・・遊技盤
２・・・遊技領域
４，５，６・・・開口部
１０・・・センター役物
１１ａ・・・一般入賞領域
１１ｖ・・・特別入賞領域
１１・・・入賞空間
１２ａ，１２ｂ・・・開閉部材
１３・・・樋部材
１４・・・底面形成部材
１４ａ・・・段差部
１４ｂ・・・窪み
１５・・・傾斜板
１５ａ・・・ストッパ
１６・・・人形
１７・・・中間床形成部材
１８ａ，１８ｂ・・・前後方向誘導路形成部材
１９ａ，１９ｂ・・・振り分け部材
２１・・・左奥傾斜路形成部材
２１ａ・・・右下がりの傾斜面
２１ｂ・・・前板
２１ｃ・・・邪魔板
２１ｄ，２１ｅ・・・脚部
２１ｆ・・・傾斜面前壁
２１ｇ・・・誘導溝部
２１ｈ・・・突起
２１ｉ・・・位置決め部材
２１ｊ・・・ネジ孔
２１ｋ・・・ネジ止め部材
２１ｍ・・・底面
２１ｎ・・・背面
２２・・・右奥傾斜路形成部材
２２ａ・・・左下がりの傾斜面
２２ｂ・・・前板
２２ｃ・・・邪魔板
２２ｄ，２２ｅ・・・脚部
２２ｆ・・・傾斜面前壁
２２ｇ・・・誘導溝部
２２ｈ・・・突起
２２ｉ・・・位置決め部材
２２ｊ・・・ネジ孔
２２ｋ・・・ネジ止め部材
２２ｍ・・・底面
２２ｎ・・・背面
２３・・・入賞空間ベース部材
２３ａ・・・後壁
２４・・・入賞空間仕切部材
２５・・・飾り部材
２６・・・役物制御基板装着部材
２７・・・モータ取り付け部材
２８ａ・・・位置決め孔
２８ｂ・・・ネジ挿通孔
２９ａ・・・位置決め孔
２９ｂ・・・ネジ挿通孔
３１〜３３・・・始動入賞口
３４〜３７・・・普通入賞口
４０・・・左装飾体
５０・・・右装飾体
６０・・・下部装飾体
１００・・・裏ユニット
１１０・・・裏ユニット本体
１１１・・・縁枠
１１２・・・収納凹所
１１３・・・球排出通路
１２０，１３０，１４０・・・ＬＥＤ基板
２００・・・大型装飾部材
２０１・・・ワープ通路
２０２・・・出口
２１０・・・ステージ
２１１・・・トンネル通路
２１２・・・ステージベース部材
２１２ａ・・・前壁
２１３ａ，２１３ｂ・・・位置決め孔
２１３ｃ・・・ネジ挿通孔
２１４ａ，２１４ｂ・・・位置決め孔
２１４ｃ，２１４ｄ・・・ネジ挿通孔
２２０・・・左側ステージ形成部材
２２１・・・右下がり転動面
２２２・・・右上がり転動面
２２３・・・放出部
２２４・・・転動面
２２５ａ，２２５ｂ・・・前壁
２２５・・・前板
２２６ａ，２２６ｂ・・・位置決め突起
２３０・・・右側ステージ形成部材
２３１・・・右上がり転動面
２３２・・・右下がり転動面
２３３・・・放出部
２３４・・・転動面
２３５ａ，２３５ｂ・・・前壁
２３５・・・前板
２３６ａ，２３６ｂ・・・位置決め突起
２３７・・・ネジ孔部材
２３８・・・側壁部
２３９・・・返し
【図１】
2014008218.tif 000003
【図２】
2014008218.tif 000004
【図３】
2014008218.tif 000005
【図４】
2014008218.tif 000006
【図５】
2014008218.tif 000007
【図６】
2014008218.tif 000008
【図７】
2014008218.tif 000009
【図８】
2014008218.tif 000010
【図９】
2014008218.tif 000011
【図１０】
2014008218.tif 000012
【図１１】
2014008218.tif 000013
【図１２】
2014008218.tif 000014
【図１３】
2014008218.tif 000015